【手続補正書】
【提出日】平成16年2月2日(2004.2.2)
【手続補正１】
【補正対象書類名】特許請求の範囲
【補正対象項目名】全文
【補正方法】変更
【補正の内容】
【特許請求の範囲】
【請求項１】
プラスチックバイオフィルム支持要素を含んでなるバイオフィルム支持体であって、
前記プラスチックバイオフィルム支持要素が、発泡剤と混合されたプラスチック材料から形作られて、ほぼ中実の中心から外方に延びる複数の放射状延在表面を含み、また５０ｍｍを超えない最大寸法と約０．７０〜０．９１の比重とほぼ円筒状の構造形とを有する、バイオフィルム支持体。
【請求項２】
前記プラスチックバイオフィルム支持要素が、該支持要素とワンピースのものとして一体に形作られた複数の粗くされたバイオフィルム付着表面を有する、請求項１に記載のバイオフィルム支持体。
【請求項３】
前記プラスチックバイオフィルム支持要素が、前記放射状延在表面の各々の外方に面する縁部に沿って延在する細片を含んでいて、
前記複数の表面及び前記細片が、二つの別個のプラスチックバイオフィルム支持要素の表面の間の交互嵌合を防止するように構成される、請求項１に記載のバイオフィルム支持体。
【請求項４】
少なくとも一つの処理槽を使用する排水処理のための方法であって、
前記少なくとも一つの処理槽を複数の処理ステージ領域に分割するために、略垂直のパーティションを前記少なくとも一つの処理槽内の離間された位置に取り付ける段階と、
前記複数の処理ステージ領域の各々に、少なくとも一つのエアリフトと無酸素脱窒素ユニットとのうちの少なくとも一つを取り付ける段階であって、前記複数の処理ステージ領域の少なくとも一つが、少なくとも一つの取り付けられたエアリフトを有する、少なくとも一つのエアリフトと無酸素脱窒素ユニットとのうちの少なくとも一つを取り付ける段階と、
少なくとも一つのエアリフトが中に取り付けられるところの前記複数の処理ステージ領域の少なくとも各々に、ある量の浮遊可能なバイオマス支持要素を装填する段階と、
前記複数の処理ステージ領域の少なくとも一つに排水を供給する段階であり、また一般に前記バイオバス支持要素ではなく前記排水が、前記複数の処理ステージ領域の少なくとも一つから前記複数の処理ステージ領域の少なくとも他の一つに流れることを可能にする、排水を供給する段階と、
好気性排水流を前記浮遊可能なバイオマス支持要素との作用可能な係合状態で少なくとも一つのエアリフトが中に取り付けられている前記複数の処理ステージ領域の各々において提供するために、少なくとも一つのエアリフトが中に取り付けられている前記複数の処理ステージ領域の各々で、前記少なくとも一つのエアリフトを作動させる段階であって、前記バイオマス支持要素の流動化を生み出すところの、少なくとも一つのエアリフトを作動させる段階と、を含んでなる廃水処理のための方法。
【請求項５】
前記排水が前記複数の処理ステージ領域の隣接するものの間で前記略垂直のパーティションの下を流れること可能にするために、前記略垂直のパーティションの少なくともいくつかが前記少なくとも一つの処理槽の底から離間され、また
前記排水を供給する段階が、前記処理槽の上流側の排水入口から処理水出口への連続水流を提供する段階を含んでなるもであり、また
前記連続水流が、浮遊するバイオマス支持要素を前記ステージ分割パーティションを越えて運ばない水路をステージ分割パーティションの下に含み、これによって、各ステージの前記バイオマス支持要素を前記ステージ内に留まるようにさせ、ステージパーティションアセンブリを越えるバイオマス支持要素の移行を妨げる、請求項４に記載の廃水処理のための方法。
【請求項６】
前記少なくとも一つのエアリフトが、周囲エンクロージャの下に置かれて配置された少なくとも一つの空気拡散器を具備し、前記周囲エンクロージャが、前記少なくとも一つの空気拡散器から上方への周囲エンクロージャをとおる空気拡散によって持ち上げられる水柱を画定するものである、請求項４に記載の廃水処理のための方法。
【請求項７】
前記少なくとも一つのエアリフトが、複数のエアリフトアセンブリを含んでなるものであり、
複数の空気拡散器が、前記複数のエアリフトアセンブリの隣接するものの中間の前記処理槽の前記底、及び前記ステージパーティションアセンブリに隣接する前記エアリフトアセンブリと前記ステージパーティションアセンブリとの中間の前記処理槽の前記底に配置され、また
前記複数の空気拡散器が、前記エアリフトアセンブリの隣接するものの間の上方への水流、及び前記ステージパーティションアセンブリに隣接する前記エアリフトアセンブリと前記ステージパーティションアセンブリとの間の上方への水流を引き起こす、請求項５に記載の廃水処理のための方法。
【請求項８】
上流表面及び下流表面を有する第一の略垂直パーティションであって、処理槽内の水面の上方の頂部位置から前記処理槽の底から離間した底部位置まで下方に延在し且つ前記処理槽の側面から側面に延在する第一の略垂直パーティションと、
前記第一の略垂直パーティションの上流表面及び下流表面に対して隣接して且つ離間した関係で配置された第二及び第三の略垂直パーティションであって、前記処理槽の側面から側面に延在し、かつ処理槽の底から前記処理槽内の水面下の頂部位置まで上方に延在する第二および第三の略垂直パーティションと、
前記第一の略垂直パーティションの上流表面及び下流表面に配置され、また前記第二及び第三の略垂直パーティションから離間されて上方に配置された流れ誘導上方傾斜パネルと、を前記略垂直のパーティションが具備する請求項４に記載の廃水処理のための方法。
【請求項９】
前記浮遊可能なバイオマス支持要素が、発泡剤と混合されたプラスチック材料から形作られた、ほぼ中実の中心から外方に延びる複数の放射状延在表面を各々が含む複数のプラスチックバイオフィルム支持要素を含んでなるものであり、前記複数のプラスチックバイオフィルム支持要素の各々が、５０ｍｍを超えない最大寸法と約０．７０〜０．９１の比重とほぼ円筒状の構造形とを有している、請求項４に記載の廃水処理のための方法。
【請求項１０】
前記複数の処理ステージ領域の各々に取り付ける段階が、少なくとも一つの無酸素脱窒素ユニットを前記複数の処理ステージ領域の少なくとも一つに取り付ける段階を含んでなるものである、請求項４に記載の排水処理のための方法。
【請求項１１】
少なくとも一つの処理槽と、略垂直のパーティションと、ある量の浮遊可能なバイオマス支持要素とを具備する排水処理装置であって、
前記略垂直のパーティションが、前記少なくとも一つの処理槽を複数の処理ステージ領域に分割するために、前記少なくとも一つの処理槽内の離間された位置に配置されて、前記複数の処理ステージ領域の各々が、少なくとも一つのエアリフトと無酸素脱窒素ユニットとのうちの少なくとも一つを具備して、前記複数の処理ステージ領域の少なくとも一つが、少なくとも一つのエアリフトを含み、また
前記ある量の浮遊可能なバイオマス支持要素が、少なくとも一つのエアリフトを含む前記複数の処理ステージ領域の少なくとも各々に装填され、そして、前記複数の処理ステージ領域の少なくとも一つに廃水を供給して、一般に前記バイオマス支持要素ではなく前記廃水が前記複数の処理ステージ領域の少なくとも一つから前記複数の処理ステージ領域の少なくとも他の一つに流れることを可能にして、少なくとも一つのエアリフトを含む前記複数の処理ステージ領域の各々において前記少なくとも一つのエアリフトを作動させることが、少なくとも一つのエアリフトを含む前記複数の処理ステージ領域の各々において好気性廃水流を前記浮遊可能なバイオマス支持要素との作用可能な係合状態で提供し、また前記少なくとも一つのエアリフトを作動させることが前記バイオマス支持要素の流動化を生み出すものである、排水処理装置。
【請求項１２】
前記処理水が前記複数の処理ステージ領域の隣接するものの間で前記垂直のパーティションの下を流れることを可能にするために、前記垂直のパーティションの少なくともいくつかが、前記少なくとも一つの処理槽の底から離間され、また
前記排水を供給することが、前記処理槽の上流側の排水入口から処理水出口への連続水流を提供することを含んでなるものであり、また
前記連続水流が、ステージ分割パーティションの下の水路を含み、前記水路は浮遊するバイオマス支持要素を前記ステージ分割パーティションを越えて運ばないものであり、これによって各ステージの前記バイオマス支持要素が前記ステージ内に留まるようにされてステージパーティションアセンブリを越えるバイオマス支持要素の移行が防止される、請求項１１に記載の排水処理装置。
【請求項１３】
前記少なくとも一つのエアリフトが、水柱を画定する周囲エンクロージャの下に置かれて配置された少なくとも一つの空気拡散器を具備していて、前記水柱が、前記少なくとも一つの空気拡散器から上方への周囲エンクロージャをとおる空気拡散によって持ち上げられるものである、請求項１１に記載の排水処理装置。
【請求項１４】
前記少なくとも一つのエアリフトが、複数のエアリフトアセンブリを含んでなるものであり、また
複数の空気拡散器が、前記複数のエアリフトアセンブリの隣接するものの中間の前記処理槽の前記底、及び前記ステージパーティションアセンブリに隣接する前記エアリフトアセンブリと前記ステージパーティションアセンブリとの中間の前記処理槽の前記底に配置され、また
前記複数の空気拡散器が、前記エアリフトアセンブリの隣接するものの間に、及び前記ステージパーティションアセンブリに隣接する前記エアリフトアセンブリと前記ステージパーティションアセンブリとの間に、上方への水流を引き起こす、請求項１２に記載の排水処理装置。
【請求項１５】
上流表面及び下流表面を有する第一の略垂直のパーティションであって、処理槽内の水面の上方の頂部位置から前記処理槽の前記底から離間した底部位置まで下方に延在し且つ前記処理槽の側面から側面に延在する第一の略垂直パーティションと、
前記第一の略垂直パーティションの前記上流表面及び下流表面に対して隣接して且つ離間した関係で配置された第二及び第三の略垂直パーティションであって、前記処理槽の側面から側面に延在し、かつ処理槽の底から前記処理槽内の水面下の頂部位置まで上方に延在する第二および第三の略垂直パーティションと、
前記第一の略垂直パーティションの上流表面及び下流表面に配置され、また前記第二及び第三の略垂直パーティションから離間されて上方に配置された流れ誘導上方傾斜パネルと、を前記略垂直のパーティションが具備する、請求項１１に記載の排水処理装置。
【請求項１６】
前記浮遊可能なバイオマス支持要素が、発泡剤と混合されたプラスチック材料から形作られた、ほぼ中実の中心から外方に延びる複数の放射状延在表面を各々が含む複数のプラスチックバイオフィルム支持要素を含んでなるものであり、
前記複数のプラスチックバイオフィルム支持要素が、５０ｍｍを超えない最大寸法と約０．７０〜０．９１の比重とほぼ円筒状の構造形とを有するものである、請求項１１に記載の排水処理装置。
【請求項１７】
前記排水処理装置が少なくとも一つの無酸素脱窒素ユニットを含む、請求項１１に記載の排水処理装置。